(57)【要約】【課題】  少ない数のｃｈストリップしかない場合でも、それらのｃｈストリップを用いて、グループ化した多数のｃｈのパラメータを操作性よく調整できるようにする。【解決手段】  複数のｃｈ（チャンネル）で用いるパラメータの値をｃｈ毎に調整するパラメータ調整装置において、グループｃｈストリップ部２０２のｃｈストリップ２２０に、ｃｈのグループを割り当て、そのグループの展開指示に応じて、割当ｃｈストリップ部２０１のｃｈストリップ２０１に対し、そのグループに属するｃｈを割り当てる。さらに、グループｃｈストリップ部２０２のｃｈストリップ２２０に含まれるロータリーエンコーダ２２１の操作に応じて、割当ｃｈストリップ部２０１のｃｈストリップ２０１に対してグループに属するｃｈのうちどのｃｈを割り当てるかを変更することができる。【選択図】        図３
2017175564.tif 000002
【特許請求の範囲】
【請求項１】
複数のチャンネルで用いるパラメータの値をチャンネル毎に調整するパラメータ調整装置であって、
それぞれ操作対象として割り当てられた前記チャンネル又は複数の前記チャンネルからなるグループにおけるパラメータの値を調整するための操作子を有する複数のチャンネルストリップと、
前記複数のチャンネルストリップのうちの第１チャンネルストリップに前記グループを割り当てる第１割当手段と、
前記グループの展開指示に応じて、前記複数のチャンネルストリップのうち前記第１チャンネルストリップと異なる１又は複数の第２チャンネルストリップに対し、前記グループに属するチャンネルをそれぞれ割り当てる第２割当手段と、
前記第１チャンネルストリップに含まれる第１操作子の操作に応じて、前記第２チャンネルストリップに対して前記グループに属するチャンネルのうちどのチャンネルを割り当てるかを変更する割当変更手段とを備えるパラメータ調整装置。
【請求項２】
請求項１に記載のパラメータ調整装置であって、
前記割当変更手段は、前記第１操作子の操作に応じて、前記第２チャンネルストリップに対する、前記グループに属するチャンネルの割り当てを、所定の順序でスクロールさせることを特徴とするパラメータ調整装置。
【請求項３】
請求項１又は２に記載のパラメータ調整装置であって、
前記第２チャンネルストリップが複数あり、
前記グループに属するチャンネルは、前記第２チャンネルストリップの数のチャンネル毎に所定の順序でサブグループに分割されており、
前記第２割当手段は、前記第２チャンネルストリップに対してそれぞれ、いずれか１つの前記サブグループのチャンネルを割り当て、
前記割当変更手段は、前記第１操作子の所定操作量以上の操作に応じて、前記第２チャンネルストリップに対してどのサブグループのチャンネルを割り当てるかを変更することを特徴とするパラメータ調整装置。
【請求項４】
請求項２又は３に記載のパラメータ調整装置であって、
前記第２チャンネルストリップに前記グループに属するチャンネルが割り当てられている場合に、前記第２チャンネルストリップと対応する位置の所定の表示手段に、該第２チャンネルストリップに対して前記グループ全体のうちどの範囲のチャンネルが割り当てられているかを表示させる第１表示制御手段を備えることを特徴とするパラメータ調整装置。
【請求項５】
請求項１乃至４のいずれか一項に記載のパラメータ調整装置であって、
前記第１操作子はロータリーエンコーダであることを特徴とするパラメータ調整装置。
【請求項６】
請求項１乃至５のいずれか一項に記載のパラメータ調整装置であって、
前記第２チャンネルストリップに対して前記グループに属するチャンネルのうちどのチャンネルを割り当てるかを示す割り当て状況を記憶する割当管理手段と、
前記第２チャンネルストリップに対するその時点のチャンネルの割り当て状況を前記割当管理手段に記憶させると共に、前記グループの展開解除指示に応じて、前記第２チャンネルストリップに対し、所定のチャンネルをそれぞれ割り当てる第３割当手段とを備え、
前記第２割当手段は、前記割当管理手段が記憶する割り当て状態に従って、前記第２チャンネルストリップに対するチャンネルの割り当てを行うことを特徴とするパラメータ調整装置。
【請求項７】
請求項６に記載のパラメータ調整装置であって、
前記割当管理手段が記憶している割り当て状態を所定の表示手段に表示させる第２表示制御手段を備え、
前記割当変更手段は、現に前記第２チャンネルストリップに前記グループに属するチャンネルが割り当てられているか否かに関わらず、前記第１操作子の操作に応じて、前記第２チャンネルストリップに対して前記グループに属するチャンネルのうちどのチャンネルを割り当てるかを変更して、その変更後の割り当て状態を前記割当管理手段に記憶させ、
該記憶させた割り当て状態が前記所定の表示手段に表示されることを特徴とするパラメータ調整装置。
【発明の詳細な説明】
【技術分野】
【０００１】
この発明は、複数のチャンネルで用いるパラメータの値をチャンネル毎に調整するパラメータ調整装置に関する。
【背景技術】
【０００２】
従来から、例えば特許文献１に記載されているように、複数のチャンネル（ｃｈ）で用いるパラメータの値をチャンネル毎に調整するパラメータ調整装置において、任意の複数のｃｈをグループ化しておき、そのグループのｃｈを、ユーザが選択したブロックの複数のｃｈストリップにそれぞれ割り当てて、それらの各ｃｈストリップを用いて、割り当てたｃｈのパラメータを調整できるようにすることが行われている。
【先行技術文献】
【特許文献】
【０００３】
【特許文献１】特開２０１１−６６８６３号公報
【発明の概要】
【発明が解決しようとする課題】
【０００４】
しかしながら、上述した特許文献１に記載の技術では、グループに属するｃｈの数が割り当て先のｃｈストリップの数よりも多い場合、一部のｃｈについては割り当てをすることができないという問題があった。このため、十分な数のｃｈストリップがないと、ユーザの望むｃｈをｃｈストリップに割り当てることができず、操作性が十分でないという問題があった。
【０００５】
この発明は、このような問題を解決し、少ない数のｃｈストリップしかない場合でも、それらのｃｈストリップを用いて、グループ化した多数のｃｈのパラメータを操作性よく調整できるようにすることを目的とする。なお、調整対象のパラメータは、特許文献１に記載のような音響信号処理装置のパラメータには限られない。
【課題を解決するための手段】
【０００６】
上記の目的を達成するため、この発明のパラメータ調整装置は、複数のチャンネルで用いるパラメータの値をチャンネル毎に調整するパラメータ調整装置において、それぞれ操作対象として割り当てられた上記チャンネル又は複数の上記チャンネルからなるグループにおけるパラメータの値を調整するための操作子を有する複数のチャンネルストリップと、上記複数のチャンネルストリップのうちの第１チャンネルストリップに上記グループを割り当てる第１割当手段と、上記グループの展開指示に応じて、上記複数のチャンネルストリップのうち上記第１チャンネルストリップと異なる１又は複数の第２チャンネルストリップに対し、上記グループに属するチャンネルをそれぞれ割り当てる第２割当手段と、上記第１チャンネルストリップに含まれる第１操作子の操作に応じて、上記第２チャンネルストリップに対して上記グループに属するチャンネルのうちどのチャンネルを割り当てるかを変更する割当変更手段とを設けたものである。
【０００７】
このようなパラメータ調整装置において、上記割当変更手段が、上記第１操作子の操作に応じて、上記第２チャンネルストリップに対する、上記グループに属するチャンネルの割り当てを、所定の順序でスクロールさせるようにするとよい。
【０００８】
さらに、上記第２チャンネルストリップが複数あり、上記グループに属するチャンネルは、上記第２チャンネルストリップの数のチャンネル毎に所定の順序でサブグループに分割されており、上記第２割当手段は、上記第２チャンネルストリップに対してそれぞれ、いずれか１つの上記サブグループのチャンネルを割り当て、上記割当変更手段は、上記第１操作子の所定操作量以上の操作に応じて、上記第２チャンネルストリップに対してどのサブグループのチャンネルを割り当てるかを変更するとよい。
さらに、上記第２チャンネルストリップに上記グループに属するチャンネルが割り当てられている場合に、上記第２チャンネルストリップと対応する位置の所定の表示手段に、その第２チャンネルストリップに対して上記グループ全体のうちどの範囲のチャンネルが割り当てられているかを表示させる第１表示制御手段を設けるとよい。
さらに、上記第１操作子がロータリーエンコーダであるとよい。
【０００９】
さらに、上記第２チャンネルストリップに対して上記グループに属するチャンネルのうちどのチャンネルを割り当てるかを示す割り当て状況を記憶する割当管理手段と、上記第２チャンネルストリップに対するその時点のチャンネルの割り当て状況を上記割当管理手段に記憶させると共に、上記グループの展開解除指示に応じて、上記第２チャンネルストリップに対し、所定のチャンネルをそれぞれ割り当てる第３割当手段とを設け、上記第２割当手段が、上記割当管理手段が記憶する割り当て状態に従って、上記第２チャンネルストリップに対するチャンネルの割り当てを行うようにするとよい。
【００１０】
さらに、上記割当管理手段が記憶している割り当て状態を所定の表示手段に表示させる第２表示制御手段を設け、上記割当変更手段が、現に上記第２チャンネルストリップに上記グループに属するチャンネルが割り当てられているか否かに関わらず、上記第１操作子の操作に応じて、上記第２チャンネルストリップに対して上記グループに属するチャンネルのうちどのチャンネルを割り当てるかを変更して、その変更後の割り当て状態を上記割当管理手段に記憶させ、その記憶させた割り当て状態が上記所定の表示手段に表示されるようにするとよい。
また、この発明は、上記のように装置として実施する他、システム、方法、プログラム、記録媒体等、任意の態様で実施することができる。
【発明の効果】
【００１１】
以上のようなこの発明の構成によれば、少ない数のｃｈストリップしかない場合でも、それらのｃｈストリップを用いて、グループ化した多数のｃｈのパラメータを操作性よく調整できるようにすることができる。
【図面の簡単な説明】
【００１２】
【図１】この発明のパラメータ調整装置の一実施形態である音信号処理装置のハードウェア構成を示すブロック図である。
【図２】図１に示したＤＳＰで実行される信号処理の構成をより詳細に示す図である。
【図３】図１に示した音信号処理装置の操作パネルの概略構成を示す図である。
【図４】グループデータの例を示す図である。
【図５】レイヤデータの例を示す図である。
【図６】グループ機能を利用したｃｈストリップへのｃｈの割り当ての例を示す図である。
【図７】グループ内のウィンドウ位置について説明するための図である。
【図８】ウィンドウ位置の記憶状態の例を示す図である。
【図９】図３の割当ｃｈストリップ部における表示の例を示す図である。
【図１０】図３のグループｃｈストリップ部に関する表示の例を示す図である。
【図１１】図１に示した音信号処理装置のＣＰＵが実行する処理を示すフローチャートである。
【図１２】その別の処理を示すフローチャートである。
【図１３】図１２の処理の変形例を示す図である。
【図１４】この発明の変形例の構成を示す図である。
【図１５】さらに別の変形例の構成を示す図である。
【発明を実施するための形態】
【００１３】
以下、この発明を実施するための形態を図面に基づいて具体的に説明する。
まず、この発明のパラメータ調整装置の一実施形態である音信号処理装置について説明する。
図１は、その音信号処理装置のハードウェア構成を示すブロック図である。
【００１４】
図１に示す音信号処理装置１０は、ＣＰＵ１１、フラッシュメモリ１２、ＲＡＭ１３、外部機器Ｉ／Ｏ１４、表示器１５、操作子１６、波形入出力部（Ｉ／Ｏ）１７、信号処理部（ＤＳＰ）１８を備え、これらがシステムバス１９によって接続されている。このような音信号処理装置１０は、例えばデジタルミキサとして構成することができる。
【００１５】
図１の構成のうち、ＣＰＵ１１は、音信号処理装置１０の全体の動作を制御する制御手段であり、フラッシュメモリ１２に記憶された所要のプログラムを実行して所要のハードウェアを制御することにより、表示器１５における表示の制御、操作子１６に対する操作の検出、ＤＳＰ１８における音信号処理の制御等の種々の機能を実現する。
フラッシュメモリ１２は、ＣＰＵ１１が実行する制御プログラム等を記憶する書き換え可能な不揮発性記憶手段である。
ＲＡＭ１３は、一時的に記憶すべきデータを記憶したり、ＣＰＵ１１のワークメモリとして使用したりする記憶手段である。
【００１６】
外部機器Ｉ／Ｏ１４は、種々の外部機器を接続し入出力を行うためのインタフェースであり、例えば外部のディスプレイ、マウス、文字入力用のキーボード、操作パネル、可搬性記録媒体等を接続するためのインタフェースが用意される。
表示器１５は、液晶ディスプレイ（ＬＣＤ）、ランプ等により構成され、ユーザに対し、音信号処理装置１０の動作状態や設定状態に関する情報を表示するための表示手段である。
【００１７】
操作子１６は、音信号処理装置１０に対する操作を受け付けるための操作手段であり、種々のキー、ボタン、ロータリーエンコーダ、スライダ、表示器１５であるＬＣＤに積層したタッチパネル等により構成できる。
波形Ｉ／Ｏ１７は、ＤＳＰ１８で処理すべき音信号の入力を受け付け、また処理後の音信号を出力するためのインタフェースである。
【００１８】
ＤＳＰ１８は、信号処理回路を含み、波形Ｉ／Ｏ１７から入力する音信号に対し、カレントデータとして設定されている各種処理パラメータに従って、ミキシング、イコライジング等の各種信号処理を施して波形Ｉ／Ｏ１７に出力する信号処理手段である。この処理に用いるパラメータを含むカレントデータは、ＲＡＭ１３上あるいはＤＳＰ１８自身に備えるメモリ上に設けられたメモリに記憶されており、ユーザは、表示器１５及び操作子１６を用いて、そのパラメータの値を確認したり、変更したりすることができる。
【００１９】
次に、図２に、図１に示したＤＳＰ１８で実行される信号処理の構成をより詳細に示す。
この図に示すように、ＤＳＰ１８での信号処理は、入力パッチ１２０、入力ｃｈ１３０−１〜１２８、ミキシングバス１４０、出力ｃｈ１５０−１〜９６、出力パッチ１６０を有する。また、図２に示すアナログ入力部１１１、デジタル入力部１１２、アナログ出力部１７１、デジタル出力部１７２は、波形Ｉ／Ｏ１７の機能と対応するものである。
【００２０】
そして、ＤＳＰ１８においては、入力パッチ１２０により、１３０−１から１３０−１２８まで１２８ｃｈある入力ｃｈ１３０（個体を特定する必要がない場合には「−」以降のない符号を用いる。他の符号についても同様。）にそれぞれ、波形Ｉ／Ｏ１７の入力端子と対応するように用意されたアナログ入力部１１１及びデジタル入力部１１２の入力ポートのいずれかをパッチ（結線）することができる。
各入力ｃｈ１３０では、そのパッチされた入力ポートから入力する信号に対してアッテネータ，イコライザ等により信号処理を行った後、９６系統あるミキシングバス１４０のうちの任意のバスに対して処理後の信号を送出する。この送出については、入力ｃｈ１３０とミキシングバス１４０の組み合わせ毎にオンオフ及びレベル調整を行うことが可能である。
【００２１】
また、各ミキシングバス１４０では、各入力ｃｈ１３０から入力する信号をミキシングし、各ミキシングバス１４０と対応して１５０−１から１５０−９６まで９６ｃｈ設けられた出力ｃｈ１５０に出力する。そして、各出力ｃｈ１５０では、対応するミキシングバス１４０から入力する信号に対してイコライザ、コンプレッサ等により信号処理を行う。
【００２２】
そして、出力パッチ１６０により、各出力ｃｈ１５０を、波形Ｉ／Ｏ１７に出力端子と対応するように用意されたアナログ出力部１７１及びデジタル出力部１７２の出力ポートにパッチし、出力ｃｈ１５０による処理後の信号をパッチ先の出力ポートに供給してそこから出力させる。
なお、ＤＳＰ１８に設けるこれらの各部による信号処理は、メモリに記憶されている各パラメータの現在の設定値（カレントデータ）に基づいて制御される。これらのパラメータの値は、操作パネル２００上の操作子により、ｃｈその他の信号処理要素毎に調整可能である。また、各部の機能は、ソフトウェアによって実現してもハードウェアによって実現してもよい。
【００２３】
次に、図３に、音信号処理装置１０の操作パネルの概略構成を示す。
図３に示すように音信号処理装置１０の操作パネル２００は、割当ｃｈストリップ部２０１、グループｃｈストリップ部２０２、ディスプレイ２３０、ロータリーエンコーダ２４０、スイッチ群２５０を備えている。
【００２４】
割当ｃｈストリップ部２０１及びグループｃｈストリップ部２０２は、それぞれ８つずつのｃｈストリップ２１０，２２０を備える。
このうち割当ｃｈストリップ部２０１の各ｃｈストリップ２１０には、後述するレイヤやグループに従って入力ｃｈ１３０あるいは出力ｃｈ１５０を操作対象として割り当て、そのｃｈストリップ２１０に含まれる各操作子を、その割り当てたｃｈに関する操作を行うための操作子として用いることができる。この各ｃｈストリップ２１０は、第２ｃｈストリップに該当する。
【００２５】
一方、グループｃｈストリップ部２０２の各ｃｈストリップ２２０には、後述するｃｈのグループを操作対象として割り当て、そのｃｈストリップ２２０に含まれる各操作子を、その割り当てたグループに関する操作を行うための操作子として用いることができる。この各ｃｈストリップ２２０は、第１ｃｈストリップに該当する。また、グループの割り当てに関する機能は第１割当手段の機能と対応する。ここでは、８つのグループＧｒｐ１〜Ｇｒｐ８を、８つのｃｈストリップ２２０に固定的に割り当てるものとするが、変形例で説明するように、この割り当ては変更可能であってもよい。
【００２６】
また、割当ｃｈストリップ部２０１の各ｃｈストリップ２１０は、ロータリーエンコーダ２１１、ディスプレイ２１２、選択キー２１３、オンキー２１４、フェーダ２１５を備える。これらのうちロータリーエンコーダ２１１は、ｃｈに含まれるパラメータを割り当て、その割り当てられたパラメータの値を調整するために用いる操作子である。ディスプレイ２１２は、後述するものをはじめとする種々の画面を表示する表示手段である。選択キー２１３は、ｃｈを選択するための操作子である。オンキー２１４は、ｃｈからの音信号送出のオンオフを定めるパラメータをトグルで調整するための操作子である。フェーダ２１５は、つまみ２１５ａの操作によりｃｈのフェーダパラメータの値を調整するための操作子である。
【００２７】
また、グループｃｈストリップ部２０２の各ｃｈストリップ２２０は、ロータリーエンコーダ２２１、ディスプレイ２２２、選択キー２２３、オンキー２２４、フェーダ２２５を備える。これらのうちロータリーエンコーダ２２１は、割当ｃｈストリップ部２０１の各ｃｈストリップ２１０に対して、グループのうちどの範囲のｃｈを割り当てるかを調整するための操作子である。ディスプレイ２２２は、後述するものをはじめとする種々の画面を表示する表示手段である。選択キー２２３は、グループの選択と選択解除をトグルで切り替えるための操作子である。なお、選択されたグループに属するｃｈが、割当ｃｈストリップ部２０１の各ｃｈストリップ２１０に対して割り当てられる。オンキー２２４は、グループに属する各ｃｈからの音信号送出のオンオフを一括で切り替えるための操作子である。ここでの切り替え結果は、ｃｈ毎に設定されるオンオフパラメータと論理積を取ってｃｈの制御に適用される。フェーダ２２５は、つまみ２２５ａの操作により、グループに属する各ｃｈの出力レベルの値を一括で調整するための操作子である。ここでの出力レベルの設定値は、ｃｈ毎のフェーダパラメータに乗算して（指数値であれば加算して）ｃｈの制御に適用される。
【００２８】
次に、ディスプレイ２３０は、ＧＵＩ（グラフィカルユーザインタフェース）画面を表示し、パラメータの値の設定や、操作子へのパラメータの割り当て等を含む各種操作を受け付けたり、音信号処理装置１０の動作状態あるいは現在設定されているパラメータの値を表示したりするための表示手段及び操作手段である。ディスプレイ２３０に、グループに属するｃｈの情報や、それらのｃｈのうちどのｃｈが割当ｃｈストリップ部２０１へ割り当てられるかの情報を表示させることもできる。
【００２９】
ロータリーエンコーダ２４０は、ここまでに説明してきたものも含む任意のパラメータを割り当てて、そのパラメータを調整に用いることができる操作子である。ロータリーエンコーダ２２１により調整する、グループのうちどの範囲のｃｈを割り当てるかを示すパラメータも、ロータリーエンコーダ２４０に割り当てることができる。
スイッチ群２５０は、後述するレイヤの選択を含む種々の機能を備えるスイッチが配置された箇所である。
【００３０】
以上の音信号処理装置１０において特徴的な点は、グループに属するｃｈを、割当ｃｈストリップ部２０１の各ｃｈストリップ２１０に割り当てると共に、グループに属するｃｈのうちどの部分を各ｃｈストリップ２１０に割り当てるかを調整できるようにした点である。以下、この点について詳細に説明する。
【００３１】
まず、図４に、ｃｈのグループを規定するグループデータの例を示す。
この実施形態では、グループｃｈストリップ部２０２の各ｃｈストリップ２２０と対応するように８つのグループを定義可能としている。図４に示すグループデータは、Ｇｒｐ１からＧｒｐ８の８つのグループについて、各グループにどのｃｈが属するかを、ｃｈの順序を含めて規定するものである。
【００３２】
図４において、「ＩＮ１」、「ＯＵＴ１」等が１つのｃｈを示し、「ＩＮｘ」はｘ番目の入力ｃｈ１３０、「ＯＵＴｘ」はｘ番目の出力ｃｈ１５０である。したがって、例えば１番目のグループＧｒｐ１には、１，２，３，５，６，７，８，１０，１１，１２，１４，１５番目の、計１２の入力ｃｈ１３０が、この順で属することが規定されている。
【００３３】
また、４番目のグループＧｒｐ４にあるように、１つのグループに入力ｃｈ１３０と出力ｃｈ１５０とが混在していてもよい。５番目のグループＧｒｐ５にあるように、１つのグループに属するｃｈの数が、ｃｈストリップ２２０の数より少なくてもよい。また、ｃｈの配置順は任意であり、６番目のグループＧｒｐ６にあるように、ｃｈ数が昇順でなくてもよい。さらに、１つのｃｈが複数のグループに属していても問題ない。
グループが選択された場合、音信号処理装置１０は、このグループデータに従って、割当ｃｈストリップ部２０１の各ｃｈストリップ２１０にｃｈを割り当てる。
【００３４】
次に、図５に、レイヤデータの例を示す。
図５に示すレイヤデータは、グループが選択されていない場合に割当ｃｈストリップ部２０１の各ｃｈストリップ２１０に割り当てるｃｈを規定するデータである。
レイヤデータとしては、１２８ｃｈの入力ｃｈ１３０を８ｃｈずつｃｈストリップ２１０に割り当てるための入力レイヤＬＩＮ１〜ＬＩＮ１６のデータと、９６ｃｈの出力ｃｈ１５０を８ｃｈずつｃｈストリップ２１０に割り当てるための出力レイヤＬＯＵＴ１〜ＬＯＵＴ１２のデータとを備える。
【００３５】
図５において、「割当チャンネル」の欄に、各レイヤによりｃｈストリップ２１０に割り当てる８つのｃｈを示している。例えば、１番目の入力レイヤＬＩＮ１は、８つのｃｈストリップ２１０に、１番目から８番目の入力ｃｈＩＮ１〜ＩＮ８を割り当てることが規定されている。
【００３６】
音信号処理装置１０において、ユーザは、グループを選択しない場合には、スイッチ群２５０のスイッチを用いてこれらのレイヤのいずれかを選択し、そのレイヤデータに従って、ｃｈを各ｃｈストリップ２１０に割り当てて、各ｃｈストリップ２１０を、その割り当てたｃｈのパラメータを調整するための操作子として使用することができる。
【００３７】
また、グループを選択することにより、図４に示したグループデータに従い、選択したグループに属するｃｈを各ｃｈストリップ２１０に割り当てて、各ｃｈストリップ２１０を、その割り当てたｃｈのパラメータを調整するための操作子として使用することができる。このような、グループデータを用いたｃｈストリップ２１０へのｃｈの割り当ての機能を、「グループ機能」と呼ぶことにする。
【００３８】
次に、図６に、このグループ機能を利用したｃｈストリップ２１０へのｃｈ割り当ての例を示す。
図６の例では、まず初めに、（ａ）の状態で、グループが選択されておらず、１番目の入力レイヤＬＩＮ１が選択されていたとする。この状態では、１番目（Ｎｏ．１）から８番目（Ｎｏ．８）のｃｈストリップ２１０へは、入力レイヤＬＩＮ１のレイヤデータに従い、１番目から８番目の入力ｃｈＩＮ１〜ＩＮ８が、それぞれ割り当てられる。
【００３９】
ここで、ユーザがグループＧｒｐ１を選択すると、（ｂ）に示すように、グループＧｒｐ１のグループデータに従い、１，２，３，５，６，７，８，１０番目の入力ｃｈが、８本のｃｈストリップ２１０へそれぞれ割り当てられる（グループＧｒｐ１をグループｃｈストリップ部２０２へ展開する）。グループＧｒｐ１に属するｃｈは、上述の通り１２あるが、このうち８のｃｈを割り当てるものであり、またここでは、割り当てを開始するｃｈは、グループ内の先頭のｃｈである（後述のウィンドウ位置＝１である）ことが初期値として設定されているとする。
【００４０】
次の（ｃ）は、ユーザが、グループＧｒｐ１に従ってｃｈストリップ２１０に割り当てるｃｈの範囲を変更する操作を行った場合の例である。この実施形態では、当該変更の機能を割り当てたロータリーエンコーダを操作することによりこのような変更を可能としている。また、この機能の割り当て先の１つは、各グループを割り当てたｃｈストリップ２２０のロータリーエンコーダ２２１である。例えば、１番目のグループＧｒｐ１についての割り当ての変更は、グループｃｈストリップ部２０２の１番目のｃｈストリップ２２０−１のロータリーエンコーダ２２１を用いて行うことができる。また、グループｃｈストリップ部２０２の外部のロータリーエンコーダ２４０に、任意のグループについての割り当て変更機能を割り当てることもできる。
【００４１】
いずれにせよ、（ｃ）は、ロータリーエンコーダの操作により、グループＧｒｐ１に従ってｃｈストリップ２１０に割り当てるｃｈの範囲が、右に３つ変更された状態を示している。ここで、「右に３つ変更」とは、割り当ての起点とするｃｈ、例えば１番目のｃｈストリップ２１０へ割り当てるｃｈを、グループ内で右へ３つ移動させることを意味する。
【００４２】
例えば、図６の（ｂ）の状態では、図７に枠線３０１で示すように、グループＧｒｐ１に属するｃｈのうち、グループ内の１番目の入力ｃｈＩＮ１を基点に、グループ内の８番目の入力ｃｈＩＮ１０までの各ｃｈを、８つのｃｈストリップ２１０にそれぞれ割り当てている。ここからｃｈストリップ２１０に割り当てるｃｈの範囲を「右に３つ変更」すると、枠線３０２に示すように、グループＧｒｐ１に属するｃｈのうち、グループ内の４番目の入力ｃｈＩＮ５を基点に、グループ内の１１番目の入力ｃｈＩＮ１４までの各ｃｈを、８つのｃｈストリップ２１０にそれぞれ割り当てることになる。
【００４３】
ここで、グループに属するｃｈのうち、実際にｃｈストリップ２１０に割り当てるｃｈの範囲を「ウィンドウ」と呼び、その「ウィンドウ」の位置を、割り当ての基点とするｃｈの、グループ内での位置により規定することにする。図７の枠線３０１の例では、１番目のｃｈが起点であるので、ウィンドウ位置＝１であり、枠線３０２の例では、４番目のｃｈが起点であるので、ウィンドウ位置＝４である。
【００４４】
なお、ウィンドウのサイズは、割当ｃｈストリップ部２０１のｃｈストリップ２１０の数と等しく、ここでは「８」である。また、ウィンドウは、グループの端を跨いで、ループするように設定できるものとする。すなわち、例えばウィンドウ位置＝６であると、ウィンドウの範囲は、グループ内の最後のｃｈであるＩＮ１５よりも１つ先のｃｈまでとなるが、この場合、１番目に戻って、ＩＮ１がウィンドウの範囲に入るものとする。
ただし、このようなループを許さず、ウィンドウ位置を、ループせずにウィンドウの範囲を設定できる位置までしか動かせないようにすることも考えられる。
【００４５】
図６の説明に戻ると、（ｃ）の状態では、グループＧｒｐ１においてウィンドウ位置が「４」になっており、図７に枠線３０２で示した各ｃｈが、各ｃｈストリップ２１０に割り当てられる。
また、この状態でユーザがグループＧｒｐ１の選択を解除すると、ｃｈストリップ２１０へのｃｈの割当を、レイヤを用いて行う状態に戻る（グループＧｒｐ１の展開を解除する）。そして、（ｄ）に示すように、グループＧｒｐ１が選択される前に選択されていた１番目の入力レイヤＬＩＮ１に従ってｃｈの割り当てを行い、（ａ）の時点と同じ割り当て状態に戻る。
【００４６】
また、（ｄ）の状態で再度グループＧｒｐ１を選択すると、割り当て状態は、（ｅ）に示すように、直前の（ｃ）と同じ状態に戻る。これは、音信号処理装置１０が、各グループについて設定したウィンドウ位置を、グループの選択が解除されても記憶しており、次にグループが選択された際には、その記憶しておいたウィンドウ位置に従って、選択されたグループに属するｃｈを、各ｃｈストリップ２１０に割り当てるためである。
【００４７】
また、（ｄ）に示す、グループが選択されていない状態でも、ロータリーエンコーダを操作することにより、ウィンドウ位置を移動させることができる。例えば、ロータリーエンコーダを操作して、ウィンドウ位置を左に１つ変更したとすると、（ｆ）に破線で示すように、グループＧｒｐ１について、３番目のｃｈであるＩＮ３を起点として割り当てを行うべきこと（ウィンドウ位置＝３であること）が記憶された状態となる。ただし、この段階では、実際の割り当てへは反映されない。
【００４８】
そして、（ｆ）の状態で再度グループＧｒｐ１を選択すると、（ｇ）に示すように、（ｅ）の場合と異なり、３番目のｃｈであるＩＮ３を起点として、グループＧｒｐ１に属するｃｈの割り当てがなされる。
また、あるグループが選択されている状態で別のグループを選択してそのグループに従った割り当てを行うことも可能である。例えば、（ｇ）に示す状態でグループＧｒｐ２を選択すると、（ｈ）に示すように、グループＧｒｐ２のグループデータに従い、ＩＮ１８〜Ｉｎ２５のｃｈが、各ｃｈストリップ２１０に割り当てられる（グループＧｒｐ２についてウィンドウ位置＝２が記憶されているものとする）。
【００４９】
また、（ｈ）の状態で再度グループＧｒｐ１を選択すると、（ｉ）に示すように、（ｇ）と同じ割り当て状態に戻る。すなわち、音信号処理装置１０は、別のグループが選択された場合でも、元のグループにおけるウィンドウ位置を記憶しており、再度元のグループが選択された場合には、その記憶されたウィンドウ位置に従ってｃｈの割り当てを行う。
【００５０】
ここで、図８に、音信号処理装置１０における、上述したウィンドウ位置の記憶状態の例を示す。
音信号処理装置１０は、ＲＡＭ１３あるいはフラッシュメモリ１２に、各グループにおけるウィンドウ位置と、現在選択されているレイヤとを、図８に示すウィンドウ情報として記憶している。「ｎｏｎｅ」が、いずれのグループも選択されていない場合に適用される、現在選択されているレイヤである。また、ウィンドウ位置は、各グループについて個別に記憶する。
【００５１】
次に、以上説明してきたｃｈの割り当て内容の表示について説明する。
まず図９に、割当ｃｈストリップ部２０１における表示例を示す。
割当ｃｈストリップ部２０１においては、各ｃｈストリップ２１０のディスプレイ２１２に、そのｃｈストリップ２１０に割り当てられているｃｈの番号や名称等の識別情報を表示する。図９の例では、ｃｈの番号（１番目の入力ｃｈを示す「ＩＮ１」）を含む画面３１１を表示している。
【００５２】
次に図１０に、グループｃｈストリップ部２０２における表示例を示す。
グループｃｈストリップ部２０２においては、まず、各ｃｈストリップ２２０のディスプレイ２２２に、そのｃｈストリップ２２０に割り当てられているグループの番号や名称等の識別情報を表示する。また、グループ内のｃｈの、ｃｈストリップ２１０への割当状況として、ウィンドウの範囲を表示する。
【００５３】
図１０の例では、グループの番号（１番目のグループを示す「Ｇｒｐ１」）の表示３３１と、ウィンドウの範囲の表示３３２を含む画面３３０を表示している。なお、表示３３２では、白バーにより表されるグループ全体の中でのウィンドウの範囲を黒バーにより表示している。
また、図１０の例では、ディスプレイ２３０内の、ｃｈストリップ２２０と対応する位置（ここではｃｈストリップ２２０の真上に当たる位置であるが、対応関係が把握できれば必ずしもこの位置に限られない）の領域３２０に、ｃｈストリップ２２０に割り当てられたグループに属するｃｈの位置を表示すると共に、その中でのウィンドウの範囲をカーソル３２１により表示している。なお、グループに属するｃｈが多く、画面内に表示しきれない場合には、スクロール可能な表示とすればよい。その場合、ウィンドウ位置の移動につれて、ウィンドウの範囲が画面内に収まるように自動でスクロールさせるとよい。
【００５４】
次に、図１１及び図１２に、以上説明してきた、グループを用いたｃｈの割り当てのために音信号処理装置１０のＣＰＵ１１が実行する処理について説明する。なお、図４に示したグループデータについては、スイッチ群２５０のスイッチ等を用いてユーザが任意に編集可能であるとする。
図１１に、グループｃｈストリップ部２０２の選択キー２２３の操作を検出した場合の処理を示す。
ＣＰＵ１１は、音信号処理装置１０の起動中、ユーザからの操作を常時監視しており、操作を検出すると、検出した操作に従った処理を実行する。図１１の処理もその処理の１つであり、ＣＰＵ１１は、グループｃｈストリップ部２０２のいずれかのｃｈストリップ２２０の選択キー２２３が操作されたことを検出すると、図１１に示す処理を開始する。
【００５５】
この処理において、ＣＰＵ１１はまず、グループ機能が有効であるか否か判断する（Ｓ１１）。ユーザは、スイッチ群２５０のスイッチ等を用いてグループ機能の有効無効を切り替えられるものとし、ステップＳ１１の判断はその設定状態を参照して行うことができる。
ステップＳ１１でＹｅｓであれば、ＣＰＵ１１は次に、操作された選択キー２２３と対応するグループ（操作された選択キー２２３が属するｃｈストリップ２２０に割り当てられたグループであり、ここではグループＧｒｐＮとする）が選択されているか否か判断する（Ｓ１２）。
【００５６】
ここでＮｏであれば、ＣＰＵ１１は、今回の操作によりグループＧｒｐＮが選択されたと判断し、図８のウィンドウ情報から、グループＧｒｐＮのウィンドウ位置を読み出す（Ｓ１３）。そして、図４のグループデータを参照し、グループＧｒｐＮに属するｃｈのうちウィンドウの範囲にあるｃｈを、割当ｃｈストリップ部２０１の各ｃｈストリップ２１０に割り当てる（Ｓ１４）。このとき、グループに属するｃｈの数が、ｃｈストリップ２１０の数よりも少ない場合、例えば左詰めで割当を行い、残ったｃｈストリップ２１０にはｃｈを割り当てなくてよい。
【００５７】
次に、ＣＰＵ１１は、割当ｃｈストリップ部２０１の各ｃｈストリップ２１０のディスプレイ２１２に、ステップＳ１４で割り当てたｃｈを表示させ（Ｓ１５）、処理を終了する。ここの処理ではウィンドウ位置は変更していないので、グループｃｈストリップ部２０２側の表示を更新する必要はない。ウィンドウ位置の記憶も、後述の図１２の処理で行われているはずであるので、図１１の処理の時点で改めて行う必要はない。しかし、例えばディスプレイ２３０に図１０と別の画面を表示していた場合には、グループの選択をトリガに、グループに属するｃｈを表示するようにすることは考えられる。
【００５８】
また、ステップＳ１２でＹｅｓの場合、ＣＰＵ１１は、今回の操作によりグループＧｒｐＮの選択が解除されたと判断し、図８のウィンドウ情報から、現在選択されているレイヤである選択レイヤの情報を読み出す（Ｓ１６）。そして、図５のレイヤデータを参照し、選択レイヤの情報に従って、割当ｃｈストリップ部２０１の各ｃｈストリップ２１０にｃｈを割り当てる（Ｓ１７）。その後、ステップＳ１５でｃｈの表示を行って処理を終了する。
また、ステップＳ１１でＮｏの場合には、その時点で有効なモードに応じた処理を行う（Ｓ１８）。
【００５９】
以上の図１１の処理において、ステップＳ１４の処理が、第２割当手段の機能と対応し、この場合における選択キー２２３の操作が、グループの展開指示に該当する。また、ステップＳ１６の処理が、第３割当手段の機能と対応し、この場合における選択キー２２３の操作が、グループの展開解除指示に該当する。
【００６０】
次に、図１２に、グループと対応するロータリーエンコーダの操作を検出した場合の処理を示す。
ＣＰＵ１１は、いずれかのグループ（グループＧｒｐＮとする）について、そのグループに従ってｃｈストリップ２１０に割り当てるｃｈの範囲を変更する機能が割り当てられたロータリーエンコーダの操作を検出すると、図１２のフローチャートに示す処理を開始する。
【００６１】
この処理において、ＣＰＵ１１はまず、グループ機能が有効であるか否か判断する（Ｓ２１）。この判断は図１１のステップＳ１１と同趣旨である。
ステップＳ２１でＹｅｓであれば、ＣＰＵ１１は次に、ロータリーエンコーダがプラス方向に操作されたか否か判断する（Ｓ２２）。そして、プラス方向であれば、図８のウィンドウ情報中の、グループＧｒｐＮのウィンドウ位置を増加させる（Ｓ２３）。また、マイナス方向であれば、図８のウィンドウ情報中の、グループＧｒｐＮのウィンドウ位置を減少させる（Ｓ２４）。このときの増加や減少の単位は、１ずつであっても、検出した操作量に応じた数であってもよい。また、ウィンドウ位置がグループに属するｃｈの末尾を超えてしまう場合には、先頭に戻せばよい。逆に、先頭よりも前に戻ってしまう場合には、末尾に移動させればよい。また、ステップＳ２３の処理は、グループＧｒｐＮが選択されているか否かにか関わらず実行することができる。
【００６２】
いずれの場合も、ＣＰＵ１１は次に、グループｃｈストリップ部２０２の、グループＧｒｐＮが割り当てられているｃｈストリップ２２０（及びディスプレイ２３０中の対応する領域）におけるウィンドウの範囲の表示を、ステップＳ２３又はＳ２４での変更に合わせて更新する（Ｓ２５）。
【００６３】
ＣＰＵ１１は次に、グループＧｒｐＮが選択されているか否か判断する（Ｓ２６）。そして、選択されていれば、図４のグループデータを参照し、グループＧｒｐＮに属するｃｈのうちステップＳ２３又はＳ２４での変更後のウィンドウの範囲にあるｃｈを、割当ｃｈストリップ部２０１の各ｃｈストリップ２１０に割り当てる（Ｓ２７）。そして、割当ｃｈストリップ部２０１の各ｃｈストリップ２１０のディスプレイ２１２に、ステップＳ２７で割り当てたｃｈを表示させ（Ｓ２８）、処理を終了する。
また、ステップＳ２１でＮｏの場合には、その時点で有効なモードに応じた処理を行う（Ｓ２９）。
【００６４】
以上の処理において、ステップＳ２３及びＳ２４の処理が、割当管理手段の機能と対応する。また、ステップＳ２３、Ｓ２４及びＳ２５の処理により、選択されているグループに属するｃｈのうちどのｃｈを割当ｃｈストリップ部２０１のｃｈストリップ２１０に割り当てるかを、あたかも割り当て内容をスクロールさせるかのように、変更することができる。
【００６５】
以上の処理により、音信号処理装置１０では、グループ内でウィンドウ位置を規定して、グループに属するｃｈのうち、そのウィンドウ位置を基準としたウィンドウ範囲のｃｈを割り当てると共に、そのウィンドウ範囲を移動させることができる。従って、グループに属するｃｈの数の方が、割り当て先（展開先）のｃｈストリップの数よりも多い場合でも、簡単かつわかりやすい操作で、グループに属する任意のｃｈを、ｃｈストリップに割り当てることができる。
【００６６】
また、ウィンドウ範囲の移動を、グループを割り当てたｃｈストリップ２２０内のロータリーエンコーダ２２１（第１操作子）の操作によって行うことができるようにすれば、グループとの対応関係が容易に把握できる、直感的にわかりやすい操作で、各グループのウィンドウ範囲を調整することができる。
また、グループの選択が解除されてもウィンドウ位置の情報を保持しておけば、再度同じグループが選択された際に、選択解除時の割り当て状態を容易に再現でき、グループとレイヤを使い分ける場合、あるいは複数のグループを使い分ける場合に、高い操作性を得ることができる。
また、グループが選択されているか否かに関わらず、グループのウィンドウ範囲を画面に表示しつつ、そのウィンドウ範囲を調整可能とすれば、グループを用いたｃｈ割り当ての操作性を一層向上させることができる。
【００６７】
〔変形例〕
以上で実施形態の説明を終了するが、装置の具体的な構成、データの形式、ｃｈストリップやグループの数、具体的な処理の手順などが、上述の実施形態で説明したものに限られないことはもちろんである。
例えば、グループにおけるウィンドウ位置の調整につき、グループを分割したサブグループを単位とした調整を可能としてもよい。サブグループは、例えば、割当ｃｈストリップ部２０１のｃｈストリップ２１０の数のｃｈ毎にグループを分割して設定することが考えられる。
【００６８】
図１３に、サブグループを用いてウィンドウ位置を調整する場合の、図１２と対応する処理のフローチャートを示す。
図１３の処理において、ステップＳ３１、Ｓ４０及び、ステップＳ３２でＮｏの場合の処理は、図１２の場合と同じである。一方、ステップＳ３２で、検出したロータリーエンコーダの操作が所定量以上である場合、ＣＰＵ１１は、ロータリーエンコーダがプラス方向に操作されたか否か判断する（Ｓ３３）。そして、プラス方向であれば、図８のウィンドウ情報中の、グループＧｒｐＮのウィンドウ位置を、次のサブグループの開始位置まで増加させる（Ｓ３４）。また、マイナス方向であれば、図８のウィンドウ情報中の、グループＧｒｐＮのウィンドウ位置を、前のサブグループの開始位置まで減少させる（Ｓ３５）。以後のステップＳ３６乃至Ｓ３９の処理は、図１２のステップＳ２５乃至Ｓ２８の処理と同じである。
【００６９】
このようにすれば、ロータリーエンコーダの所定量以上の操作により、サブグループを単位として、グループ内でｃｈストリップに割り当てるｃｈを変更することができ、あたかもページを切り替えるように、グループ内で割当ｃｈストリップ部２０１のｃｈストリップ２１０に割り当てるｃｈを変更することができる。このことにより、一層操作性を向上させることができる。
なお、ウィンドウ位置の調整に用いる操作子はロータリーエンコーダに限られず、増減の操作が可能な任意の操作子を用いることができる。カーソルキーや、操作範囲に端部のある操作子を用いることもできる。
【００７０】
また、この発明は、自分自身が使用するパラメータの値を調整する場合だけでなく、他の装置が使用するパラメータの値を調整する装置に適用することももちろん可能である。
例えば、図１４に示すように、ＰＣ（パーソナルコンピュータ）４０が実行するＤＡＷ（デジタルオーディオワークステーション）アプリケーションが信号処理に使用するパラメータの値を調整するための、ＰＣ４０に接続されたフィジカルコントローラ５０にこの発明を適用することもできる。
【００７１】
フィジカルコントローラ５０は、図３に示したものと同様な操作パネル２００を備え、図４乃至図１２を用いて説明したようなデータ及び処理を用いて、グループに従ったｃｈの割り当てを行う。ｃｈストリップの操作に従って調整するパラメータが、フィジカルコントローラ５０自身が使用するパラメータではなく、外部のＰＣ４０で動作するＤＡＷアプリが使用するパラメータである点が、上述した実施形態の場合と異なるのみである。
【００７２】
また、ユーザが操作する操作子が、物理的な実体を持つものである必要もない。図１５に示すように、割当ｃｈストリップ部２０１、グループｃｈストリップ部２０２をディスプレイ４００に表示させると共に、図３のディスプレイ２３０に相当する詳細表示部２０３もディスプレイ４００に表示させ、ユーザが操作する部分が、全てディスプレイ４００に表示されるＧＵＩ（グラフィカルユーザインタフェース）であってもよい。この画面は、例えば、ＰＣで実行されるＤＡＷアプリケーションにより提供されるものであることが考えられる。
この場合において、ユーザがマウス等のポインティングデバイスを用いてＧＵＩを操作する構成であってもよい。
【００７３】
また、上述した実施形態では、操作パネル２００上に設けたｃｈストリップのうち、どのｃｈストリップにグループを割り当て、どのｃｈストリップにグループに属するｃｈを割り当てるかを、固定的に定めていた。しかし、これらを動的に変更できるようにしてもよい。例えば、レイヤのデータにおいて、グループを割り当てるｃｈストリップと、グループに属するｃｈを割り当てるｃｈストリップとを定められるようにしてもよい。この場合に、さらに、どのｃｈストリップにどのグループを割り当てるかを定められるようにしてもよい。また、グループに属するｃｈを割り当てるｃｈストリップが、連続して（全て隣り合うように）配置されている必要はない。飛び飛びであっても、ｃｈを割り当てる順序が定められていれば、ｃｈの割当は問題なく行うことができる。
【００７４】
また、この発明の適用対象は、音信号処理装置で使用するパラメータを調整するパラメータ調整装置に限られない。それ以外にも、例えば、複数ｃｈの照明の強度を調整する照明制御装置における、各ｃｈの照明の強度のパラメータを調整するパラメータ調整装置にも適用可能である。さらに他の装置におけるパラメータを調整するパラメータ調整装置にも適用可能である。
また、以上述べてきた構成及び変形例は、矛盾しない範囲で適宜組み合わせて適用することも可能である。
【産業上の利用可能性】
【００７５】
以上の説明から明らかなように、この発明によれば、少ない数のｃｈストリップしかない場合でも、それらのｃｈストリップを用いて、グループ化した多数のｃｈのパラメータを操作性よく調整可能なパラメータ調整装置を提供することができる。
【符号の説明】
【００７６】
１０…音信号処理装置、１１…ＣＰＵ、１２…フラッシュメモリ、１３…ＲＡＭ、１４…外部機器Ｉ／Ｏ、１５…表示器、１６…操作子、１７…波形入出力部（Ｉ／Ｏ）、１８…信号処理部（ＤＳＰ）、１９…システムバス、４０…ＰＣ、５０…フィジカルコントローラ、１１１…アナログ入力部、１１２…デジタル入力部、１２０…入力パッチ、１３０…入力ｃｈ、１４０…ミキシングバス、１５０…出力ｃｈ、１６０…出力パッチ、１７１…アナログ出力部、１７２…デジタル出力部、２００…操作パネル、２０１…割当ｃｈストリップ部、２０２…グループｃｈストリップ部、２０３…詳細表示部、２１０，２２０…ｃｈストリップ、２１１，２２１，２４０…ロータリーエンコーダ、２１２，２２２，２３０，４００…ディスプレイ、２１３，２２３…選択キー、２１４，２２４…オンキー、２１５，２２５…フェーダ、２１５ａ，２２５ａ…つまみ、２５０…スイッチ群、３０１，３０２…枠線
【図１】
2017175564.tif 000003
【図２】
2017175564.tif 000004
【図３】
2017175564.tif 000005
【図４】
2017175564.tif 000006
【図５】
2017175564.tif 000007
【図６】
2017175564.tif 000008
【図７】
2017175564.tif 000009
【図８】
2017175564.tif 000010
【図９】
2017175564.tif 000011
【図１０】
2017175564.tif 000012
【図１１】
2017175564.tif 000013
【図１２】
2017175564.tif 000014
【図１３】
2017175564.tif 000015
【図１４】
2017175564.tif 000016
【図１５】
2017175564.tif 000017